【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
Wi-Fiネットワークエンティティによって動作可能な方法であって、
干渉測定のために、前記Wi-Fiネットワークエンティティによってサービスされる少なくとも1つの局に時間を信号で伝えるステップと、
前記少なくとも1つの局から、前記信号で伝えられた時間に取得された干渉測定値を受信するステップであって、前記干渉測定値は、clear-to-send-2-self (CTSTS CTS2S)メッセージを送信することなく測定された第1の干渉値と前記CTSTS CTS2Sメッセージを送信した後に測定された第2の干渉測定値を含む、ステップと、
前記受信された干渉測定値に基づいて、前記少なくとも1つの局にサービスするための少なくとも1つのチャネルを第1の送信機パラメータとして選択するステップと、
前記受信した干渉測定値に基づいて、ready-to-send/clear-to-send (RTS/CTS)を第2の送信機パラメータとして使用するステップと、
を備える、方法。
【請求項２】
チャネルレート制御ループ設定を第3の送信機パラメータとして選択するステップ、または、
前記少なくとも1つの局と通信するための送信電力を第4の送信機パラメータとして選択するステップ、または
それらの組合せ
のうち少なくとも1つをさらに備える、請求項1に記載の方法。
【請求項３】
前記時間が周期的な時間間隔を備える、請求項1に記載の方法。
【請求項４】
前記周期的な時間間隔が、重複ネットワークエンティティにとって非重複になるように選択される、請求項3に記載の方法。
【請求項５】
前記少なくとも1つの局から、他のネットワークエンティティに関連付けられるビーコン情報を受信するステップをさらに備え、前記時間、または前記Wi-Fiネットワークのビーコン時間のうちの少なくとも1つが、前記受信されたビーコン情報に基づく、請求項4に記載の方法。
【請求項６】
前記ビーコン情報が、SSID、ビーコンタイミング情報、または受信された信号強度情報のうちの少なくとも1つを備える、請求項5に記載の方法。
【請求項７】
前記選択された少なくとも1つのチャネル上の前記少なくとも1つの局と通信するステップをさらに備える、請求項1に記載の方法。
【請求項８】
少なくとも1つのチャネルを選択する前記ステップが、少なくとも2つのチャネルを選択するステップを備え、前記方法が、前記少なくとも1つの局と通信するために前記少なくとも2つのチャネルを結合するステップをさらに備える、請求項1に記載の方法。
【請求項９】
少なくとも1つのチャネルを選択する前記ステップが、少なくとも2つのチャネルを選択するステップを備え、前記方法が、前記少なくとも2つのチャネルのうちの第1のチャネル上の第1の局と通信して、前記少なくとも2つのチャネルのうちの第2のチャネル上の第2の局と通信するステップをさらに備える、請求項1に記載の方法。
【請求項１０】
少なくとも1つのチャネルを選択する前記ステップが、少なくとも2つのチャネルを選択するステップを備え、前記方法が、前記少なくとも2つのチャネルを介したTDMに基づいて前記少なくとも1つの局と通信するステップをさらに備える、請求項1に記載の方法。
【請求項１１】
第1のチャネルから第2のチャネルへのチューニング動作の間に、clear-to-send-2-self (CTS2S)を前記少なくとも1つの局に送信するステップをさらに備える、請求項1に記載の方法。
【請求項１２】
少なくとも1つのチャネルを選択する前記ステップが、ジョイントメトリックまたはULおよびDLチャネル品質、あるいはそれらの組合せに基づいて選択するステップを備える、請求項1に記載の方法。
【請求項１３】
干渉測定のために、Wi-Fi装置によってサービスされる少なくとも1つの局に時間を信号で伝えて、前記少なくとも1つの局から、前記信号で伝えられた時間に取得された干渉測定値を受信して、前記受信された干渉測定値に基づいて、前記少なくとも1つの局にサービスするための少なくとも1つのチャネルを第1の送信機パラメータとして選択し、前記受信した干渉測定値に基づいて、ready-to-send/clear-to-send (RTS/CTS)を第2の送信機パラメータとして使用するように構成された少なくとも1つのプロセッサと、
データを記憶するための、前記少なくとも1つのプロセッサに結合されたメモリとを備え、
前記干渉測定値は、clear-to-send-2-self (CTSTS CTS2S)メッセージを送信することなく測定された第1の干渉値と前記CTSTS CTS2Sメッセージを送信した後に測定された第2の干渉測定値を含む、
Wi-Fi装置。
【請求項１４】
前記少なくとも1つのプロセッサはさらに、
チャネルレート制御ループ設定を第3の送信機パラメータとして選択すること、または、
前記少なくとも1つの局と通信するための送信電力を第4の送信機パラメータとして選択すること、または
それらの組合せ
のうち少なくとも1つを行うように構成される、請求項13に記載のWi-Fi装置。
【請求項１５】
前記時間が周期的な時間間隔を備える、請求項13に記載のWi-Fi装置。
【請求項１６】
前記周期的な時間間隔が、重複ネットワークエンティティにとって非重複になるように選択される、請求項15に記載のWi-Fi装置。
【請求項１７】
少なくとも1つのチャネルを選択することが、少なくとも2つのチャネルを選択することを備え、前記少なくとも1つのプロセッサが、前記少なくとも1つの局と通信するために前記少なくとも2つのチャネルを結合するようにさらに構成される、請求項13に記載のWi-Fi装置。
【請求項１８】
少なくとも1つのチャネルを選択することが、少なくとも2つのチャネルを選択することを備え、前記少なくとも1つのプロセッサが、前記少なくとも2つのチャネルのうちの第1のチャネル上の第1の局と通信して、前記少なくとも2つのチャネルのうちの第2のチャネル上の第2の局と通信するようにさらに構成される、請求項13に記載のWi-Fi装置。
【請求項１９】
少なくとも1つのチャネルを選択することが、少なくとも2つのチャネルを選択することを備え、前記少なくとも1つのプロセッサが、前記少なくとも2つのチャネルを介したTDMに基づいて前記少なくとも1つの局と通信するようにさらに構成される、請求項13に記載のWi-Fi装置。
【請求項２０】
前記少なくとも1つのプロセッサが、第1のチャネルから第2のチャネルへのチューニング動作の間に、clear-to-send-2-self(CTS2S)を前記少なくとも1つの局に送信するようにさらに構成される、請求項13に記載のWi-Fi装置。
【請求項２１】
少なくとも1つのチャネルを選択することが、ジョイントメトリックまたはULおよびDLチャネル品質、あるいはそれらの組合せに基づいて選択することを備える、請求項13に記載のWi-Fi装置。
【請求項２２】
干渉測定のために、Wi-Fiネットワークエンティティによってサービスされる少なくとも1つの局に時間を信号で伝え、
前記少なくとも1つの局から、前記信号で伝えられた時間に取得された干渉測定値を受信し、
前記受信された干渉測定値に基づいて、前記少なくとも1つの局にサービスするための少なくとも1つのチャネルを第1の送信機パラメータとして選択し、
前記受信した干渉測定値に基づいて、ready-to-send/clear-to-send (RTS/CTS)を第2の送信機パラメータとして使用する
ための非一時的コンピュータプログラム手段とを備え、
前記干渉測定値は、clear-to-send-2-self (CTSTS CTS2S)メッセージを送信することなく測定された第1の干渉値と前記CTSTS CTS2Sメッセージを送信した後に測定された第2の干渉測定値を含む、
Wi-Fi装置。
【請求項２３】
前記非一時的コンピュータプログラム手段は、
チャネルレート制御ループ設定を第3の送信機パラメータとして選択すること、または、
前記少なくとも1つの局と通信するための送信電力を第4の送信機パラメータとして選択すること、または
それらの組合せ
のうち少なくとも1つをさらに備える、請求項22に記載のWi-Fi装置。
【請求項２４】
前記時間が周期的な時間間隔を備える、請求項22に記載のWi-Fi装置。
【請求項２５】
前記周期的な時間間隔が、重複ネットワークエンティティにとって非重複になるように選択される、請求項24に記載のWi-Fi装置。
【請求項２６】
少なくとも1つのチャネルを選択するための前記コンピュータプログラム手段が、少なくとも2つのチャネルを選択するためのコンピュータプログラム手段を備え、前記装置が、前記少なくとも1つの局と通信するために前記少なくとも2つのチャネルを結合するためのコンピュータプログラム手段をさらに備える、請求項22に記載のWi-Fi装置。
【請求項２７】
少なくとも1つのチャネルを選択するための前記コンピュータプログラム手段が、少なくとも2つのチャネルを選択するためのコンピュータプログラム手段を備え、前記装置が、前記少なくとも2つのチャネルのうちの第1のチャネル上の第1の局と通信して、前記少なくとも2つのチャネルのうちの第2のチャネル上の第2の局と通信するためのコンピュータプログラム手段をさらに備える、請求項22に記載のWi-Fi装置。
【請求項２８】
少なくとも1つのチャネルを選択するための前記コンピュータプログラム手段が、少なくとも2つのチャネルを選択するためのコンピュータプログラム手段を備え、前記装置が、前記少なくとも2つのチャネルを介したTDMに基づいて前記少なくとも1つの局と通信するためのコンピュータプログラム手段をさらに備える、請求項22に記載のWi-Fi装置。
【請求項２９】
第1のチャネルから第2のチャネルへのチューニング動作の間に、clear-to-send-2-self(CTS2S)を前記少なくとも1つの局に送信するためのコンピュータプログラム手段をさらに備える、請求項22に記載のWi-Fi装置。
【請求項３０】
少なくとも1つのチャネルを選択するための前記コンピュータプログラム手段が、ジョイントメトリック、またはULおよびDLチャネル品質、あるいはそれらの組合せに基づいて選択するためのコンピュータプログラム手段を備える、請求項22に記載のWi-Fi装置。
【請求項３１】
少なくとも1つのコンピュータに、
干渉測定のために、Wi-Fiネットワークエンティティによってサービスされる少なくとも1つの局に時間を信号で伝えさせて、
前記少なくとも1つの局から、前記信号で伝えられた時間に取得された干渉測定値を受信させて、
前記受信された干渉測定値に基づいて、前記少なくとも1つの局にサービスするための少なくとも1つのチャネルを第1の送信機パラメータとして選択させて、
前記受信した干渉測定値に基づいて、ready-to-send/clear-to-send (RTS/CTS)を第2の送信機パラメータとして使用させる
ための記憶されたコードを備え、
前記干渉測定値は、clear-to-send-2-self (CTSTS CTS2S)メッセージを送信することなく測定された第1の干渉値と前記CTSTS CTS2Sメッセージを送信した後に測定された第2の干渉測定値を含む、
非一時的コンピュータ可読記録媒体。
【請求項３２】
少なくとも1つのコンピュータに、
チャネルレート制御ループ設定を第3の送信機パラメータとして選択させるか、または、
前記少なくとも1つの局と通信するための送信電力を第4の送信機パラメータとして選択させるか、または
それらの組合せを行わせる
ためのコードのうち少なくとも1つをさらに備える、備える、請求項31に記載の非一時的コンピュータ可読記録媒体。
【請求項３３】
前記時間が周期的な時間間隔を備える、請求項31に記載の非一時的コンピュータ可読記録媒体。
【請求項３４】
前記周期的な時間間隔が、重複ネットワークエンティティにとって非重複になるように選択される、請求項33に記載の非一時的コンピュータ可読記録媒体。
【請求項３５】
Wi-Fi局によって動作可能な方法であって、
干渉測定のために、ネットワークエンティティから時間を受信するステップと、
clear-to-send-2-self (CTSTS CTS2S)メッセージを送信することなく第1の干渉値を測定し、前記CTS2Sを送信した後に第2の干渉測定値を測定することによって、前記受信された時間に基づいて干渉測定値を取得するステップと、
前記測定された第1の干渉測定値および第2の干渉測定値を前記ネットワークエンティティに送信して、前記ネットワークエンティティが、前記測定された干渉に基づいて、前記Wi-Fi局にサービスするための少なくとも1つのチャネルを第1の送信機パラメータとして選択し、前記測定された干渉に基づいて、ready-to-send/clear-to-send (RTS/CTS)を第2の送信機パラメータとして使用できるようにするステップと、
を備える、方法。
【請求項３６】
干渉を測定するステップが、異なるチャネル上の干渉を測定するステップを備える、請求項35に記載の方法。
【請求項３７】
干渉を測定するステップが、しきい値を上回る干渉デューティサイクルおよび干渉レベルを有する、前記異なるチャネルの各々の上のMAC IDおよびBSSIDを検出するステップを備える、請求項36に記載の方法。
【請求項３８】
干渉を測定するステップが、クリアチャネルアセスメント(CCA)カウンタに基づく、請求項37に記載の方法。
【請求項３９】
前記時間が周期的な時間間隔を備える、請求項35に記載の方法。
【請求項４０】
他のネットワークエンティティに関連付けられるビーコン情報を前記ネットワークエンティティに送信するステップをさらに備え、前記時間が前記送信されたビーコン情報に基づく、請求項35に記載の方法。
【請求項４１】
少なくとも1つのチャネル選択の指標を受信するステップと、
前記選択された少なくとも1つのチャネル上の前記ネットワークエンティティと通信するステップとをさらに備える、請求項35に記載の方法。
【請求項４２】
干渉を測定するステップの前にclear-to-send-2-self (CTS2S)信号を送信するステップをさらに備える、請求項35に記載の方法。
【請求項４３】
前記測定された干渉値を送信するステップが、送信機パラメータを調整するために、前記第1および第2の干渉値を前記ネットワークエンティティに送信するステップを備える、請求項35に記載の方法。
【請求項４４】
前記CTS2S信号が、RTS/CTSの有無にかかわらず送信される、請求項42に記載の方法。
【請求項４５】
Wi-Fi装置であって、
干渉測定のために、ネットワークエンティティから時間を受信し、前記受信された時間と、clear-to-send-2-self (CTSTS CTS2S)メッセージを送信することなく第1の干渉値を測定し前記CTS2Sを送信した後に第2の干渉測定値を測定することとに基づいて干渉を測定し、前記測定された第1の干渉測定値および第2の干渉測定値を前記ネットワークエンティティに送信して、前記ネットワークエンティティが、前記測定された干渉に基づいて、前記Wi-Fi装置にサービスするための少なくとも1つのチャネルを第1の送信機パラメータとして選択し、前記測定された干渉に基づいて、ready-to-send/clear-to-send (RTS/CTS)を第2の送信機パラメータとして使用できるようにするように構成された少なくとも1つのプロセッサと、
データを記憶するための、前記少なくとも1つのプロセッサに結合されたメモリとを備える、Wi-Fi装置。
【請求項４６】
干渉を測定することが、異なるチャネル上の干渉を測定することを備える、請求項45に記載のWi-Fi装置。
【請求項４７】
干渉を測定することが、しきい値を上回る干渉デューティサイクルおよび干渉レベルを有する、前記異なるチャネルの各々の上のMAC IDおよびBSSIDを検出することを備える、請求項46に記載のWi-Fi装置。
【請求項４８】
干渉を測定することが、クリアチャネルアセスメント(CCA)カウンタに基づく、請求項47に記載のWi-Fi装置。
【請求項４９】
前記時間が周期的な時間間隔を備える、請求項45に記載のWi-Fi装置。
【請求項５０】
前記少なくとも1つのプロセッサが、他のネットワークエンティティに関連付けられるビーコン情報を前記ネットワークエンティティに送信するようにさらに構成され、前記時間が前記送信されたビーコン情報に基づく、請求項45に記載のWi-Fi装置。
【請求項５１】
前記少なくとも1つのプロセッサが、
少なくとも1つのチャネル選択の指標を受信して、
前記選択された少なくとも1つのチャネル上の前記ネットワークエンティティと通信するようにさらに構成される、請求項45に記載のWi-Fi装置。
【請求項５２】
前記少なくとも1つのプロセッサが、干渉を測定する前にclear-to-send-2-self (CTS2S)信号を送信するようにさらに構成される、請求項45に記載のWi-Fi装置。
【請求項５３】
Wi-Fi装置であって、
干渉測定のために、ネットワークエンティティから時間を受信し、
clear-to-send-2-self (CTSTS CTS2S)メッセージを送信することなく第1の干渉値を測定し、前記CTS2Sを送信した後に第2の干渉測定値を測定することによって、前記受信された時間に基づいて干渉を測定し、
前記測定された第1の干渉測定値および第2の干渉測定値を前記ネットワークエンティティに送信して、前記ネットワークエンティティが、前記測定された干渉に基づいて、前記Wi-Fi装置にサービスするための少なくとも1つのチャネルを第1の送信機パラメータとして選択し、前記測定された干渉に基づいて、ready-to-send/clear-to-send (RTS/CTS)を第2の送信機パラメータとして使用できるようにする
ための非一時的コンピュータプログラム手段とを備える、Wi-Fi装置。
【請求項５４】
干渉を測定するための前記コンピュータプログラム手段が、異なるチャネル上の干渉を測定するための前記コンピュータプログラム手段を備える、請求項53に記載のWi-Fi装置。
【請求項５５】
干渉を測定するための前記非一時的コンピュータプログラム手段が、しきい値を上回る干渉デューティサイクルおよび干渉レベルを有する、前記異なるチャネルの各々の上のMAC IDおよびBSSIDを検出するためのコンピュータプログラム手段を備える、請求項54に記載のWi-Fi装置。
【請求項５６】
干渉を測定するための前記非一時的コンピュータプログラム手段が、クリアチャネルアセスメント(CCA)カウンタに基づく、請求項55に記載のWi-Fi装置。
【請求項５７】
前記時間が周期的な時間間隔を備える、請求項53に記載のWi-Fi装置。
【請求項５８】
他のネットワークエンティティに関連付けられるビーコン情報を前記ネットワークエンティティに送信するための非一時的コンピュータプログラム手段をさらに備え、前記時間が前記送信されたビーコン情報に基づく、請求項53に記載のWi-Fi装置。
【請求項５９】
少なくとも1つのチャネル選択の指標を受信し、前記選択された少なくとも1つのチャネル上の前記ネットワークエンティティと通信するための非一時的コンピュータプログラム手段とをさらに備える、請求項53に記載のWi-Fi装置。
【請求項６０】
干渉を測定する前にclear-to-send-2-self (CTS2S)信号を送信するための非一時的コンピュータプログラム手段をさらに備える、請求項53に記載のWi-Fi装置。
【請求項６１】
少なくとも1つのコンピュータに、
干渉測定のために、Wi-Fi局において、ネットワークエンティティから時間を受信させて、
clear-to-send-2-self (CTSTS CTS2S)メッセージを送信することなく第1の干渉値を測定し、前記CTS2Sを送信した後に第2の干渉測定値を測定することによって、前記受信された時間に基づいて干渉を測定させて、
前記測定された第1の干渉測定値および第2の干渉測定値を前記ネットワークエンティティに送信して、前記ネットワークエンティティが、前記測定された干渉に基づいて、前記Wi-Fi局にサービスするための少なくとも1つのチャネルを第1の送信機パラメータとして選択し、前記測定された干渉に基づいて、ready-to-send/clear-to-send (RTS/CTS)を第2の送信機パラメータとして使用できるようにさせる
ための記憶されたコードを備える、非一時的コンピュータ可読記録媒体。
【請求項６２】
干渉を測定するためのコードが、異なるチャネル上の干渉を測定するためのコードを備える、請求項61に記載の非一時的コンピュータ可読記録媒体。
【請求項６３】
干渉を測定するためのコードが、しきい値を上回る干渉デューティサイクルおよび干渉レベルを有する、前記異なるチャネルの各々の上のMAC IDおよびBSSIDを検出するためのコードを備える、請求項62に記載の非一時的コンピュータ可読記録媒体。
【請求項６４】
干渉を測定することが、クリアチャネルアセスメント(CCA)カウンタに基づく、請求項63に記載の非一時的コンピュータ可読記録媒体。
【請求項６５】
前記時間が周期的な時間間隔を備える、請求項61に記載の非一時的コンピュータ可読記録媒体。
【請求項６６】
前記非一時的コンピュータ可読記録媒体が、前記少なくとも1つのコンピュータに、他のネットワークエンティティに関連付けられるビーコン情報を前記ネットワークエンティティに送信させるためのコードをさらに記憶し、前記時間が前記送信されたビーコン情報に基づく、請求項61に記載の非一時的コンピュータ可読記録媒体。
【請求項６７】
前記非一時的コンピュータ可読記録媒体が、前記少なくとも1つのコンピュータに、
少なくとも1つのチャネル選択の指標を受信させて、
前記選択された少なくとも1つのチャネル上の前記ネットワークエンティティと通信させるためのコードをさらに記憶する、請求項61に記載の非一時的コンピュータ可読記録媒体。
【請求項６８】
前記非一時的コンピュータ可読記録媒体が、前記少なくとも1つのコンピュータに、干渉を測定する前にclear-to-send-2-self(CTS2S)信号を送信させるためのコードをさらに記憶する、請求項61に記載の非一時的コンピュータ可読記録媒体。
【請求項６９】
前記信号で伝えられた時間は、非重複のビーコン時間の数学的関数である、請求項1に記載の方法。